(57)【特許請求の範囲】
【請求項１】
三相交流発電機と、該三相交流発電機を使用者が手動で回すための動力伝達機構と、前記三相交流発電機からの出力を受け取る充電回路と、該充電回路からの出力により充電する二次電池とを有する発電装置において、
前記三相交流発電機からの３出力と、前記充電回路との間に、３つの遅延回路を並列に設けて、それぞれの遅延時間を異なるものとした
ことを特徴とする発電装置。
【請求項２】
請求項１に記載の発電装置であって、
前記３つの遅延回路の遅延時間がｔ秒、２ｔ秒、３ｔ秒である
ことを特徴とする発電装置。
【請求項３】
請求項１に記載の発電装置であって、
前記３つの遅延回路の遅延時間が５秒、１０秒、１５秒である
ことを特徴とする発電装置。
【請求項４】
請求項１，２又は３のいずれかに記載した発電装置を設けた照明装置であって、
前記二次電池に接続した放電監視回路と、
該放電監視回路に接続したランプ制御回路と、
ランプと
を有する照明装置。
【請求項５】
請求項４に記載した照明装置であって、
前記ランプは、光の３原色をそれぞれ発するＬＥＤを並列に設け、
前記ランプ制御回路は、３原色ＬＥＤのそれぞれの明るさを個別に制御することを特徴とする照明装置。
【請求項６】
請求項４に記載した照明装置であって、
前記放電監視回路は、前記二次電池からの出力電圧を監視して、所定の値以下となったら供給を遮断することを特徴とする照明装置。
【請求項７】
請求項４に記載した照明装置であって、
一つの筐体にすべてを収納することを特徴とする照明装置。
【請求項８】
請求項４に記載した照明装置であって、
前記発電装置部分を切り離し可能な筐体に収納し、
必要なコネクタとケーブルとをもって接続することを特徴とする照明装置。
【請求項９】
請求項４に記載した照明装置であって、
前記ランプを切り離し可能な筐体に収納し、
必要なコネクタとケーブルとをもって接続することを特徴とする照明装置。
【発明の詳細な説明】
【技術分野】
【０００１】
本発明は、電力の供給の受けることの出来ない地域又は環境において、生活のための明かりを安定供給する照明装置を提供することに関する。
【背景技術】
【０００２】
特許文献１には、電池交換を行うことなく使用することができるリモートコマンダが開示されている。具体的には、テレビなどのリモコンに発電装置を搭載して、電池不要のリモコン装置を提供するものである。この発電のためには、発電機を使用者が手動で回すための動力伝達機構としてはずみ車が使われている。
特許文献２には、ヘルメットにＬＥＤランプを搭載したものが開示されている。そこにおいて、ＬＥＤは、単色発光するＬＥＤの他、赤色発光ＬＥＤや緑色発光ＬＥＤなどの複数種類のＬＥＤをユニット化して任意の色で発光するようにした点光源あるいは線光源を含むとしている。
特許文献３には、光源に電流を供給する発電機と、発電機に連動する手動アクチュエータアセンブリとを備え、手動アクチュエータアセンブリは、回転可能な軸を備えノーマル位置と作動位置との間で移動可能な作業者用ハンドルと、作業者用ハンドルに接続されたバネアセンブリと、バネアセンブリ及び発電機のロータに接続されて、ロータを回転させる駆動列とを有し、バネアセンブリは軸に取付けられたリールと、リールに接続されたテープバネとを有し、作業者用ハンドルが作動位置の方向に移動されると、リールが正方向に回転し、テープバネがリールに巻回され、リールと軸とを、戻り方向に付勢する照明アセンブリが開示されている。
特許文献４には、マニュアル回転駆動機構により回転せしめられる回転子を有した発電機と、その発電機の発電電力を利用する電源部と、を備えた発電機内蔵電気機器が開示されている。
特許文献５には、交流発電機による、リップル成分を含む整流された電圧を使用して、バッテリを効果的に充電する技術が開示されている。
【特許文献１】特開平１１−１８１６２号公報
【特許文献２】特開２００６−９７１５６号公報
【特許文献３】特開２００６−２２３０９４号公報
【特許文献４】特開平１０−１６４７７１号公報
【特許文献５】特開平６−１４１４８５号公報
【発明の開示】
【発明が解決しようとする課題】
【０００３】
解決しようとする問題点は、手回しの発電機においては、初期動作に必要な力（負荷）が大きいため、子供では発電動作を行うことが難しい点である。
【課題を解決するための手段】
【０００４】
かかる課題を解決すべく、本発明に係る発電装置は、三相交流発電機と、該三相交流発電機を使用者が手動で回すための動力伝達機構と、前記三相交流発電機からの出力を受け取る充電回路と、該充電回路からの出力により充電する二次電池とを有する発電装置において、前記三相交流発電機からの３出力と、前記充電回路との間に、３つの遅延回路を並列に設けて、それぞれの遅延時間を異なるものとした。
【０００５】
前記３つの遅延回路の遅延時間は、ｔ秒、２ｔ秒、３ｔ秒とすることができる。
【０００６】
前記３つの遅延回路の遅延時間は、特に５秒、１０秒、１５秒とできる。
【０００７】
本発明に係る照明装置は、前記いずれかの発電装置を設けた照明装置であって、前記二次電池に接続した放電監視回路と、該放電監視回路に接続したランプ制御回路と、ランプとを有する。
【０００８】
前記ランプは、光の３原色をそれぞれ発するＬＥＤを並列に設け、前記ランプ制御回路は、３原色ＬＥＤのそれぞれの明るさを個別に制御するのが望ましい。
【０００９】
前記放電監視回路は、前記二次電池からの出力電圧を監視して、所定の値以下となったら供給を遮断することが望ましい。
【００１０】
一つの筐体にすべてを収納することができる。
【００１１】
また、前記発電装置部分を切り離し可能な筐体に収納し、必要なコネクタとケーブルとをもって接続することもできる。
【００１２】
さらにまた、前記ランプを切り離し可能な筐体に収納し、必要なコネクタとケーブルとをもって接続することもできる。
【発明の効果】
【００１３】
本発明は、以上の構成を有するので、次の効果を有する。子供や力の弱い人でも起動できる手動発電機としたので、利用可能者の範囲が広がる。照明のない地域をなくすことができる。発光源に光の三原色を使用し調光機能を搭載したので、発光色の地域性に対応することができる。
【発明を実施するための最良の形態】
【００１４】
以下、本発明を実施するための最良の形態を説明する。図１は、本発明に係る発電装置１００の構成を示すブロック図である。発電装置１００は、三相交流発電機１０１と、その三本の出力を受けてそれぞれ異なる時間を遅延させる遅延回路部１１０と、遅延回路部１１０の出力を受ける充電回路部１２０、その出力を受けて充電する二次電池１３０とからなる。三相交流発電機１０１には、動力伝達機構の一例として手回しハンドル１５０が設けられて、使用者が手を使って手回しハンドル１５０を回すことで発電がなされる。手回し発電機として市販されているものを用いることができる。ここでは、２回／秒で２５０ｍＡ、３回／秒で５００ｍＡの発電能力のある市販品を用いた。なお、手回しハンドルの代わりに特許文献１に示すようなはずみ車を用いることもできる。
【００１５】
遅延回路部１１０は、遅延回路１１１，１１２，１１３の三つの遅延回路を並列に並べて三相交流発電機１０１の三本の出力を受け、それぞれ異なる遅延時間で充電回路部１２０に引き渡すものである。遅延回路１１１，１１２，１１３の遅延時間をたとえば１秒、２秒、３秒と異なるものとすることで、発電機に対する初動負荷を軽減することができる。なめらかに回し始めるには、ｔ秒、２ｔ秒、３ｔ秒と違うこととするのが望ましい。子供でも発電が可能にするために、５秒、１０秒、１５秒の遅延時間とするのが適切である。
【００１６】
充電回路部１２０については、図３を参照しつつ、後述する。二次電池１３０は、７４０ｍＡ／ｈ，３．７ｖＤＣのリチウムイオン電池を使用した。
【００１７】
図２は、本発明に係る照明装置２００の構成を示すブロック図である。照明装置２００は、発電装置１００の出力（二次電池１３０の出力)を放電監視回路４００へ、その出力をＬＥＤランプ制御回路５００へ、その出力をＬＥＤランプ６００に供給することにより構成される。
【００１８】
図３は、充電回路部１２０の構成を示すブロック図である。入力遮断回路３０１は、充電完了時に入力を遮断する回路である。ＤＣ／ＤＣ回路３０２は、５ｖＤＣの入力を７ｖＤＣの出力に変換する回路である。定電流充電方式である。充電監視回路３０３は、電池電圧が４．２ｖＤＣとなったときに充電が完了したと判断する。
【００１９】
図４は、放電監視回路４００の構成を示すブロック図である。電池電圧監視回路４０１は、二次電池１３０から出力される電圧を監視する。その電圧が所定の値に達すると、電池出力遮断回路４０２が出力を遮断する。所定の値以上であれば、ＤＣ／ＤＣ変換回路４０３を経てＬＥＤランプ制御回路５００に供給される。
【００２０】
図５は、ＬＥＤランプ制御回路５００の構成を示すブロック図である。赤ＬＥＤ制御回路５０１、青ＬＥＤ制御回路５０２、緑ＬＥＤ制御回路５０３が並列に並んでいる。ここでは制御回路は可変抵抗器を使用した。図６、図７において、三つのまるで表示してあるのが、この可変抵抗器のボリュームつまみである。この三つのつまみを調整することで光の三原色のそれぞれを調整できるので、さまざまな色を表現できる。ＬＥＤランプは、para light electonics co.ltd のPART NO.LS-1155-525w405を使用した。
【実施例１】
【００２１】
図６は、発電装置と照明装置とを一体に構成した例を示す斜視図である。ＬＥＤランプ６００は、かさの中に設けられており、フレキシブルアームを介して筐体に固定されている。筐体には、手回しハンドル１５０が設けられており、使用者がこれを回すことによって、発電がなされる。
【実施例２】
【００２２】
図７は、発電装置を別の筐体に設けた例を示す斜視図である。別の筐体にすることによって、手回しハンドル１５０を回すときの振動がＬＥＤランプ６００側に伝達されにくいという利点がある。
【産業上の利用可能性】
【００２３】
本発明にかかる発電装置は、初動負荷が小さいから、さまざまな電子機器に応用が可能である。
【図面の簡単な説明】
【００２４】
【図１】本発明に係る発電装置の構成を示すブロック図である。
【図２】本発明に係る照明装置の構成を示すブロック図である。
【図３】充電回路部の構成を示すブロック図である。
【図４】放電監視回路の構成を示すブロック図である。
【図５】ＬＥＤランプ制御回路の構成を示すブロック図である。
【図６】発電装置と照明装置とを一体に構成した例を示す斜視図である。
【図７】発電装置を別の筐体に設けた例を示す斜視図である。
【符号の説明】
【００２５】
１００  発電装置
１０１  三相交流発電機
１１０  遅延回路部
１１１，１１２，１１３  遅延回路
１２０  充電回路部
１３０  二次電池
１５０  手回しハンドル
２００  照明装置
３０１  入力遮断回路
３０２  ＤＣ／ＤＣ回路
３０３  充電監視回路
４００  放電監視回路
４０１  電池電圧監視回路
４０２  電池出力遮断回路
４０３  ＤＣ／ＤＣ変換回路
５００  ＬＥＤランプ制御回路
５０１  赤ＬＥＤ制御回路
５０２  青ＬＥＤ制御回路
５０３  緑ＬＥＤ制御回路
６００  ＬＥＤランプ
【要約】
【課題】手回しの発電機においては、初期動作に必要な力（負荷）が大きいため、子供では発電動作を行うことが難しい。
【解決手段】三相交流発電機と、該三相交流発電機を人間の手で回すための手回しハンドルと、前記三相交流発電機からの出力を受け取る充電回路と、該充電回路からの出力により充電する二次電池とを有する発電装置において、前記三相交流発電機からの３出力と、前記充電回路との間に、３つの遅延回路を並列に設けて、それぞれの遅延時間を異なるものとした。
【選択図】図１【図１】
0004165657.tif 000002
【図２】
0004165657.tif 000003
【図３】
0004165657.tif 000004
【図４】
0004165657.tif 000005
【図５】
0004165657.tif 000006
【図６】
0004165657.tif 000007
【図７】
0004165657.tif 000008